(57)【要約】【課題】所望の車両情報を容易に選択することができる携帯型通信端末、車両情報収集システムを提供する。【解決手段】蓄積部２１ｃに蓄積した同種の車両情報の示す内容に変更があるかどうかを判定し、その内容に変更があると判定された車両情報の種別の項目を他の車両情報の種別の項目に比べて強調して表示する。【選択図】図３
2007251669.tif 000002
【特許請求の範囲】
【請求項１】
外部から車両情報を受信する受信手段と、
前記受信手段の受信した車両情報を蓄積する蓄積手段と、
前記車両情報の種別を画面に表示する表示制御手段と、
前記画面に表示した車両情報の種別の中から所望の種別を指定する指定手段と、
前記指定手段の指定した種別の車両情報の内容を報知する報知手段と、を備える携帯型通信端末であって、
前記蓄積手段に蓄積した同種の車両情報の示す内容に変更が有るかどうかを判定する変更有無判定手段を備え、
前記表示制御手段は、前記変更有無判定手段によって内容に変更が有ると判定された場合、当該内容に変更が有ると判定された車両情報の種別を他の車両情報の種別と異なる表示態様で表示することを特徴とする携帯型通信端末。
【請求項２】
前記表示制御手段は、前記内容に変更が有ると判定された車両情報の種別に限定して表示することを特徴とする請求項１記載の携帯型通信端末。
【請求項３】
前記表示制御手段は、前記内容に変更が有ると判定された車両情報を他の車両情報の種別に比べて強調して表示することを特徴とする請求項１記載の携帯型通信端末。
【請求項４】
前記表示制御手段は、前記内容に変更が有ると判定された車両情報を他の車両情報の種別に優先して表示することを特徴とする請求項１記載の携帯型通信端末。
【請求項５】
前記表示制御手段は、前記車両情報の種別を特定の順序に従って表示するものであり、前記内容に変更が有ると判定された車両情報を他の車両情報の種別よりも上位に表示することを特徴とする請求項４記載の携帯型通信端末。
【請求項６】
前記報知手段は、前記画面への表示、及び音声出力の少なくとも一方により、前記車両情報の内容を報知することを特徴とする請求項１〜５の何れか１項に記載の携帯型通信端末。
【請求項７】
車両の開閉機構の施錠や解錠、及び前記車両の駆動源の駆動開始や駆動停止の少なくとも一方を行うための手段を備えることを特徴とする請求項１〜６の何れか１項に記載の携帯型通信端末。
【請求項８】
前記受信手段は、携帯電話回線を介して前記車両情報を受信するものであり、
前記携帯電話回線を介して、外部との通話を行う通話手段を備えることを特徴とする請求項１〜７の何れか１項に記載の携帯型通信端末。
【請求項９】
前記車両情報は、車両の位置情報、燃料残量情報、バッテリー状態情報、タイヤ空気圧状態情報、ライト状態情報、盗難検知情報、及び燃費情報の少なくとも１つの情報であることを特徴とする請求項１〜８の何れか１項に記載の携帯型通信端末。
【請求項１０】
車両情報を取得する車両情報取得手段と、
前記車両情報取得手段の取得した車両情報を記憶する記憶手段と、
前記記憶手段に記憶した同種の車両情報の示す内容に変更が有るかどうかを判定する変更有無判定手段と、
前記変更有無判定手段によって内容に変更が有ると判定された種別の車両情報を外部に送信する送信手段と、
を有する車載端末と、
前記送信手段から送信された車両情報を受信する受信手段と、
前記受信手段の受信した車両情報を蓄積する蓄積手段と、
前記車両情報の種別を画面に表示する表示制御手段と、
前記画面に表示した車両情報の種別の中から所望の種別を指定する指定手段と、
前記指定手段の指定した種別の車両情報の内容を報知する報知手段と、
を有する携帯型通信端末と、によって構成され、
前記表示制御手段は、前記変更有無判定手段によって内容に変更が有ると判定された車両情報の種別を他の車両情報の種別と異なる表示態様で表示することを特徴とする車両情報収集システム。
【請求項１１】
前記表示制御手段は、前記内容に変更が有ると判定された車両情報の種別に限定して表示することを特徴とする請求項１０記載の車両情報収集システム。
【請求項１２】
前記表示制御手段は、前記内容に変更が有ると判定された車両情報を他の車両情報の種別に比べて強調して表示することを特徴とする請求項１０記載の車両情報収集システム。
【請求項１３】
前記表示制御手段は、前記内容に変更が有ると判定された車両情報を他の車両情報の種別に優先して表示することを特徴とする請求項１０記載の車両情報収集システム。
【請求項１４】
前記表示制御手段は、前記車両情報の種別を特定の順序に従って表示するものであり、前記内容に変更が有ると判定された車両情報を他の車両情報の種別よりも上位に表示することを特徴とする請求項１３記載の車両情報収集システム。
【請求項１５】
前記報知手段は、前記画面への表示、及び音声出力の少なくとも一方により、前記車両情報の内容を報知することを特徴とする請求項１０〜１４の何れか１項に記載の車両情報収集システム。
【請求項１６】
車両の開閉機構の施錠や解錠、及び前記車両の駆動源の駆動開始や駆動停止の少なくとも一方を行うための手段を備えることを特徴とする請求項１０〜１５の何れか１項に記載の車両情報収集システム。
【請求項１７】
前記受信手段は、携帯電話回線を介して前記車両情報を受信するものであり、
前記携帯電話回線を介して、外部との通話を行う通話手段を備えることを特徴とする請求項１０〜１６の何れか１項に記載の車両情報収集システム。
【請求項１８】
前記車両情報は、車両の位置情報、燃料残量情報、バッテリー状態情報、タイヤ空気圧状態情報、ライト状態情報、盗難検知情報、及び燃費情報の少なくとも１つの情報であることを特徴とする請求項１０〜１７の何れか１項に記載の車両情報収集システム。
【発明の詳細な説明】
【技術分野】
【０００１】
本発明は、携帯型通信端末、車両情報収集システムに関するものである。
【背景技術】
【０００２】
従来、自動車から降りたときでも、通信機能付端末を使って車両情報を確認することができる技術が提案されている（例えば、特許文献１参照。）。この特許文献１に記載の技術によれば、例えば、カーナビゲーション装置やドライブレコーダ等の車載端末に蓄積された車両情報を、所定のタイミングで、若しくはユーザからの明示的な指示を送信トリガとして、車載端末から携帯電話、鍵、又はキーレスエントリ用カード等の通信機能付端末に送信し、通信機能付端末では、受信した車両情報を通信機能付端末の内部に蓄積し、この蓄積した車両情報を表示する。
【特許文献１】特開２００５−２５７６６６号公報
【発明の開示】
【発明が解決しようとする課題】
【０００３】
ところで、例えば、通信機能付端末で車両情報の種別を画面に表示し、その表示した種別の中から任意の種別をユーザに選択させ、その選択した車両情報の内容を表示する場合、表示する車両情報の種別が多いと、ユーザは、所望の種別を容易に選択することができない。
【０００４】
ここで、上記従来技術では、車載端末や通信機能付端末から車両情報の種別を予め選択することで、その選択した種別の車両情報のみが通信機能付端末に送信されるようになるため、所望の種別を予め選択しておけば、画面に表示する車両情報の種別が少なくなる。しかしながら、この場合、予め選択した種別以外の車両情報が表示できなくなる。
【０００５】
本発明は、上記の問題を鑑みてなされたもので、所望の車両情報を容易に選択することができる携帯型通信端末、車両情報収集システムを提供することを目的とする。
【課題を解決するための手段】
【０００６】
上記目的を達成するためになされた請求項１に記載の携帯型通信端末は、
外部から車両情報を受信する受信手段と、
受信手段の受信した車両情報を蓄積する蓄積手段と、
車両情報の種別を画面に表示する表示制御手段と、
画面に表示した車両情報の種別の中から所望の種別を指定する指定手段と、
指定手段の指定した種別の車両情報の内容を報知する報知手段と、を備えるものであり、
蓄積手段に蓄積した同種の車両情報の示す内容に変更が有るかどうかを判定する変更有無判定手段を備え、
表示制御手段は、変更有無判定手段によって内容に変更が有ると判定された場合、当該内容に変更が有ると判定された車両情報の種別を他の車両情報の種別と異なる表示態様で表示することを特徴とする。
【０００７】
車両から降りた後に確認したい車両情報はユーザによって様々であるが、例えば、確認済みの車両情報の内容に変更が有った場合、その車両情報はユーザにとって有用な情報となる可能性が高い。本発明は、この点に着目し、同種の車両情報の示す内容に変更が有った場合、その車両情報の種別を他の車両情報の種別と異なる表示態様で表示するように構成した。これにより、内容に変更が有った車両情報の種別は、他の車両情報の種別と異なる表示態様で表示されるため、ユーザは、所望の車両情報を容易に選択することができるようになる。
【０００８】
請求項２に記載のように、表示制御手段は、内容に変更が有ると判定された車両情報の種別に限定して表示するとよい。これにより、内容の変更が無い車両情報の種別は画面に表示されなくなるため、所望の車両情報が容易に選択できるようになる。
【０００９】
また、請求項３に記載のように、表示制御手段は、内容に変更が有ると判定された車両情報を他の車両情報の種別に比べて強調して表示してもよい。これにより、内容に変更が有った車両情報の種別は画面上で際立って表示されるため、所望の車両情報が容易に選択できるようになる。
【００１０】
また、請求項４に記載のように、内容に変更が有ると判定された車両情報を他の車両情報の種別に優先して表示したりしてもよい。例えば、請求項５に記載のように、車両情報の種別を特定の順序に従って表示する場合、内容に変更が有ると判定された車両情報を他の車両情報の種別よりも上位に表示する。これにより、内容に変更が有った車両情報の種別は画面上で上位に表示されるため、所望の車両情報が容易に選択できるようになる。
【００１１】
請求項６に記載の携帯型通信端末によれば、報知手段は、画面への表示、及び音声出力の少なくとも一方により、車両情報の内容を報知することを特徴とする。これにより、ユーザの指定した種別の車両情報を表示したり音声出力したりすることができる。
【００１２】
請求項７に記載の携帯型通信端末は、車両の開閉機構の施錠や解錠、及び車両の駆動源の駆動開始や駆動停止の少なくとも一方を行うための手段を備えることを特徴とする。車両用のメカニカルキーやキーレスエントリ用通信機は、携帯性に優れているとともに、車両から降りた後にユーザが携帯していることが多い。従って、車両の開閉機構の施錠や解錠、及び車両の駆動源の駆動開始や駆動停止の少なくとも一方を行うための手段を備えることで、携帯型通信端末の利便性が向上する。
【００１３】
請求項８に記載の携帯型通信端末によれば、受信手段は、携帯電話回線を介して車両情報を受信するものであり、携帯電話回線を介して、外部との通話を行う通話手段を備えることを特徴とする。これにより、車両情報の受信に携帯電話回線を使用するとともに、外部との通話が可能となる。
【００１４】
請求項９に記載の携帯型通信端末によれば、車両情報は、車両の位置情報、燃料残量情報、バッテリー状態情報、タイヤ空気圧状態情報、ライト状態情報、盗難検知情報、及び燃費情報の少なくとも１つの情報であることを特徴とする。
【００１５】
これにより、車両から降りた後でも、携帯型通信端末を用いて車両の位置情報、燃料残量情報、バッテリー状態情報、タイヤ空気圧状態情報、ライト状態情報、盗難検知情報、燃費情報等を確認することができる。
【００１６】
請求項１０に記載の車両情報収集システムは、
車両情報を取得する車両情報取得手段と、
車両情報取得手段の取得した車両情報を記憶する記憶手段と、
記憶手段に記憶した同種の車両情報の示す内容に変更が有るかどうかを判定する変更有無判定手段と、
変更有無判定手段によって内容に変更が有ると判定された種別の車両情報を外部に送信する送信手段と、
を有する車載端末と、
送信手段から送信された車両情報を受信する受信手段と、
受信手段の受信した車両情報を蓄積する蓄積手段と、
車両情報の種別を画面に表示する表示制御手段と、
画面に表示した車両情報の種別の中から所望の種別を指定する指定手段と、
指定手段の指定した種別の車両情報の内容を報知する報知手段と、
を有する携帯型通信端末と、によって構成され、
表示制御手段は、変更有無判定手段によって内容に変更が有ると判定された車両情報の種別を他の車両情報の種別と異なる表示態様で表示することを特徴とする。
【００１７】
これにより、車載端末は、内容に変更が有ると判定された種別の車両情報のみを送信するため、内容の変更の有無に係わらず送信する場合に比べて通信負荷を減らすことができる。また、携帯型通信端末では、内容に変更が有った車両情報の種別を他の車両情報の種別と異なる表示態様で表示するため、ユーザは、所望の車両情報を容易に選択することができるようになる。
【００１８】
請求項１１〜請求項１８に記載の車両情報収集システムの作用効果は、請求項２〜請求項９に記載の携帯型通信端末の作用効果と同様であるため、その説明を省略する。
【発明を実施するための最良の形態】
【００１９】
以下、本発明の実施形態について図面を用いて説明する。
【００２０】
（第１の実施形態）
図１は、本実施形態における車両情報収集システムの構成を示すブロック図である。この車両情報収集システムは、車載端末１０と携帯型通信端末２０で構成される。車載端末１０は、カーナビゲーションシステム（以下、カーナビ）１１と車載通信モジュール１２を備え、車内ＬＡＮ（Local Area Network）に接続されている。
【００２１】
カーナビ１１は、周知の地磁気センサ、ジャイロスコープ、距離センサ、及び衛星からの電波に基づいて車両の位置を検出するＧＰＳ（Global Positioning System）のためのＧＰＳ受信機からなる位置検出器、地図データベース、操作スイッチ群、表示部、及び制御部等（何れも図示しない）によって構成される。
【００２２】
カーナビ１１は、出発地（又は、車両の現在地）から目的地までの最適な経路を自動的に選択して案内経路を形成し表示する経路案内機能、現在地とその周辺の道路地図を表示する現在地地図表示機能、所望の施設を検索する施設検索機能等の何れも周知の機能を実行する。カーナビ１１は、位置検出器によって検出された車両の位置情報を車載通信モジュール１２へ出力する。
【００２３】
図２に、車載通信モジュール１２の機能構成を示す。車載通信モジュール１２は、例えば、車両とＧ-ＢＯＯＫセンタを携帯電話回線を介して通信接続するために用いられる専用の通信モジュールであり、図示しないバッテリーからの電源供給を受けて動作する。
【００２４】
この情報取得部１２ａは、カーナビ１１からの位置情報を取得するとともに、車内ＬＡＮに接続される各種の車載ＥＣＵ（Electronic Control Unit）から出力される車両の燃料残量情報、バッテリー状態情報、タイヤ空気圧状態情報、ライト状態情報、盗難検知情報、燃費情報等の各種の情報を車内ＬＡＮを介して取得する。本実施形態では、この情報取得部１２ａの取得する情報を車両情報と呼ぶ。
【００２５】
記憶部１２ｂは、情報取得部１２ａが取得した各種の車両情報をその種別毎に分別して蓄積（記憶）する。車載制御部１２ｃは、所定のタイミング、若しくは、ユーザからの指示を受けたタイミングで、記憶部１２ｂに記憶された車両情報を車載通信部１２ｄによって携帯型通信端末２０へ送信する通信制御を実行する。
【００２６】
車載通信部１２ｄは、携帯電話回線を介して外部との通信接続を行う。車載通信部１２ｄは、携帯電話回線を用いた遠距離通信を採用するだけでなく、赤外線、Bluetooth（登録商標）、無線ＬＡＮ、超広帯域無線といった近距離無線通信またはシリアルケーブルなどを用いた近距離有線通信と共に採用してもよい。
【００２７】
図３に示す携帯型通信端末２０は、車両の開閉機構の施錠や解錠、及び／又は車両の駆動源の駆動開始や駆動停止をするための手段（例えば、メカニカルキーやキーレスエントリ用通信機）に、車載端末１０との通信を接続するためのマイコン２１を備えた移動通信端末である。
【００２８】
本実施形態では、従来のメカニカルキーやキーレスエントリ用通信機は携帯性に優れているとともに、車両から降りた後にユーザが携帯していることが多い点に着目し、従来のメカニカルキーやキーレスエントリ用通信機にマイコン２１等を備えた構成としている。これにより、携帯型通信端末の利便性が向上する。
【００２９】
なお、携帯型通信端末２０は、携帯電話回線を介して車載端末１０と通信接続するものであるため、携帯電話回線を介して外部との通話を行う手段を備えるようにしてもよい。言い換えれば、携帯電話機にメカニカルキーやキーレスエントリ用通信機の機能を備えるようにしてもよい。これにより、携帯型通信端末２０は、車載端末１０からの車両情報の受信に使用されるとともに、外部との通話に使用されることが可能となる。
【００３０】
図３に示すように、携帯型通信端末２０は、マイコン２１、操作スイッチ２２、画面２３、及びスピーカ２４によって構成される。操作スイッチ２２はメカニカルなスイッチである。画面２３は、ＬＣＤ(Liquid Crystal Display)であり、マイコン２１によって画面２３の表示制御が実行される。スピーカ２４は、音声出力に用いられる。
【００３１】
マイコン２１は、マイクロコンピュータとして構成されており、その内部には、何れも周知のＣＰＵ、ＲＯＭ、ＲＡＭ、Ｉ／Ｏ及びこれらの構成を接続するバスラインが備えられている。
【００３２】
マイコン２１は、図３に示すように、ＳＷ入力部２１ａ、制御部２１ｂ、蓄積部２１ｃ、及び外部通信部２１ｄの各機能で構成される。外部通信部２１ｄは、車載端末１０から送信された車両情報を受信し、蓄積部２１ｃは、外部通信部２１ｄの受信した車両情報をその種別毎に分別して蓄積（記憶）する。制御部２１ｂは、ユーザがＳＷ入力部２１ａを操作することで、車両情報の選択画面を表示する指示を受けると、図４に示すように、車両情報の各種別の項目を示した選択画面を画面２３に表示する。
【００３３】
さらに、制御部２１ｂは、ユーザがＳＷ入力部２１ａを操作することで、車両情報の各種別の中から所望の種別が指定されると、その種別の車両情報の内容を画面２３に表示したり、その内容を音声出力したりする。これにより、車両から降りた後でも、ユーザは携帯型通信端末２０を用いて車両の位置情報、燃料残量情報、バッテリー状態情報、タイヤ空気圧状態情報、ライト状態情報、盗難検知情報、燃費情報等を確認することができる。
【００３４】
次に、本実施形態の特徴部分について説明する。車両から降りた後に確認したい車両情報はユーザによって様々であるが、例えば、確認済みの車両情報の内容に変更が有った場合、その車両情報はユーザにとって有用な情報となる可能性が高い。
【００３５】
そこで、本実施形態の携帯型通信端末２０では、図４に示した車両情報の各種別の中でその内容に変更が有る場合には、その車両情報の種別を他の種別と異なる表示態様で表示することによって、ユーザが所望の車両情報を容易に選択できるようにする。
【００３６】
具体的には、例えば、ルームランプやハザードランプ等を点灯させたまま車両から降りて長時間放置した結果、バッテリー上がりとなった場合、車載端末１０からのバッテリー状態情報とライト状態情報の内容が変更されて送信されるようになり、この変更された内容の車両情報が携帯型通信端末２０に蓄積される。
【００３７】
このような場合、携帯型通信端末２０は、蓄積部２１ｃに蓄積した同種の車両情報の示す内容に変更があるかどうかを判定し、その内容に変更があると判定された車両情報の種別の項目を他の車両情報の種別の項目に比べて強調して表示する。例えば、図５に示すように、バッテリー状態情報とライト状態情報の内容に変更がある場合、バッテリー状態情報とライト状態情報の種別の項目を下線付きの太字で表示し、さらに、項目名の先頭には、車両情報の内容に変更が有った旨を示すアイコン（例えば、「※」等）を付加して表示する。
【００３８】
次に、本実施形態の携帯型通信端末２０の動作について、図８に示すフローチャートを用いて説明する。先ず、車載端末１０から車両情報の送信が行われると、ステップＳ１１０では車載端末１０からの車両情報を受信する。ステップＳ１２０では、ステップＳ１１０で受信した車両情報を種別毎に分別して蓄積部２１ｃに蓄積する。
【００３９】
ステップＳ１３０では、蓄積部２１ｃに蓄積した同種の車両情報の示す内容に変更が有るかどうかを判定する。ここで、肯定判定される場合にはステップＳ１４０に処理を進め、否定判定される場合にはステップＳ１５０へ処理を移行する。ステップＳ１４０では、内容に変更が有った車両情報の種別を記憶する。
【００４０】
ステップＳ１５０では、ユーザからの車両情報の選択画面の表示指示があったかどうかを判定する。ここで、肯定判定される場合にはステップＳ１６０へ処理を進め、否定判定される場合にはステップＳ１１０へ処理を移行し、上述した処理を繰り返し行う。
【００４１】
ステップＳ１６０では、ステップＳ１４０にて記憶した車両情報の種別を読み出す。ステップＳ１７０では、車両情報の選択画面の表示態様の編集を行う。具体的には、図４に示した選択画面を標準の表示態様とし、ステップＳ１６０にて内容に変更が有った車両情報の種別が読み出された場合には、その読み出した車両情報の種別を強調表示した選択画面（図５）となるように編集する。
【００４２】
ステップＳ１８０では、ステップＳ１７０にて編集した車両情報の選択画面を画面２３に表示する。ステップＳ１９０にてユーザが所望の種別を指定すると、ステップＳ２００では、指定された種別の車両情報の内容を画面２３に表示する。
【００４３】
このように、本実施形態の車両情報収集システムは、蓄積部２１ｃに蓄積した同種の車両情報の示す内容に変更があるかどうかを判定し、その内容に変更があると判定された車両情報の種別の項目を他の車両情報の種別の項目に比べて強調して表示する。これにより、内容に変更が有った車両情報の種別は、画面２３の選択画面上で際立って表示されるため、所望の車両情報が容易に選択できるようになる。
【００４４】
（変形例１）
本実施形態では、図５に示したように、内容に変更が有ると判定された車両情報の種別の項目を他の車両情報の種別の項目に比べて強調して表示するものであったが、例えば、車両情報の種別を特定の順序に従って表示する場合には、図６に示すように、内容に変更が有ると判定された車両情報の種別の項目を他の車両情報の種別の項目よりも上位に表示するようにしてもよい。このように、内容に変更が有ると判定された車両情報の種別の項目を他の車両情報の種別の項目に優先して表示することで、ユーザは、所望の車両情報が容易に選択できるようになる。
【００４５】
（変形例２）
また、例えば、図７に示すように、内容に変更が有ると判定された車両情報の種別の項目に限定して表示し、内容に変更が無い車両情報の種別の項目は、次頁に表示するようにしてもよい。これにより、内容の変更が無い車両情報の種別は、初期画面に表示されなくなるため、所望の車両情報が容易に選択できるようになる。
【００４６】
（第２の実施形態）
第２の実施形態は、第１の実施形態によるものと共通するところが多いので、以下、共通部分についての詳しい説明は省略し、異なる部分を重点的に説明する。第１の実施形態の車両情報収集システムでは、携帯型通信端末２０にて同種の車両情報の示す内容に変更が有るかどうかを判定するものであった。
【００４７】
これに対し、本実施形態の車両情報収集システムでは、同種の車両情報の示す内容に変更が有るかどうかの判定を携帯型通信端末２０ではなく車載端末１０にて行う点、及び、内容に変更が有ると判定された種別の車両情報を携帯型通信端末へ送信する点で異なる。
【００４８】
図９は、本実施形態の車載端末１０の動作を示すフローチャートであり、図１０は、本実施形態の携帯型通信端末２０の動作を示すフローチャートである。図１０に示すフローチャートは、図８に示したフローチャートにおけるステップＳ１３０の処理を除いたものであり、他の各ステップにおける処理は同様であるので、その説明を省略する。
【００４９】
図９に示すステップＳ３１０では各種の車両情報を取得し、ステップＳ３２０では、取得した車両情報をその種別毎に分別して記憶部１２ｂに記憶（蓄積）する。ステップＳ３３０では、記憶した同種の車両情報の示す内容に変更が有るかどうかを判定する。ここで、肯定判定される場合にはステップＳ３４０に処理を進め、否定判定される場合にはステップＳ３５０へ処理を移行する。ステップＳ３４０では、内容に変更が有った車両情報の種別を記憶する。
【００５０】
ステップＳ３５０では、車両情報の送信タイミングであるか、すなわち、所定のタイミング、若しくは、ユーザからの指示を受けたタイミングであるかどうかを判定する。ここで、肯定判定される場合にはステップＳ３６０にて、内容に変更が有った車両情報を携帯型通信端末２０へ送信し、否定判定される場合には、ステップＳ３１０に処理を移行し、上述した処理を繰り返し行う。
【００５１】
このように、本実施形態の車両情報収集システムにおける車載端末１０は、内容に変更が有ると判定された種別の車両情報のみを送信するため、内容の変更の有無に係わらず送信する場合に比べて通信負荷を減らすことができる。また、携帯型通信端末２０では、内容に変更が有った車両情報の種別を他の車両情報の種別と異なる表示態様で表示するため、ユーザは、所望の車両情報を容易に選択することができるようになる。
【図面の簡単な説明】
【００５２】
【図１】第１の実施形態に係わる、車両情報収集システムの構成を示すブロック図である。
【図２】車載通信モジュール１２の機能構成を示すブロック図である。
【図３】携帯型通信端末２０の構成を示すブロック図である。
【図４】車両情報の各種別の項目を示した選択画面の表示例を示す図である。
【図５】第１の実施形態に係わる、内容に変更があると判定された車両情報の種別の項目を他の車両情報の種別の項目に比べて強調して表示した場合の表示例を示す図である。
【図６】第１の実施形態の変形例１に係わる、内容に変更が有ると判定された車両情報の種別の項目を他の車両情報の種別の項目よりも上位に表示した場合の表示例を示す図である。
【図７】第１の実施形態の変形例２に係わる、内容に変更が有ると判定された車両情報の種別の項目に限定して表示した場合の表示例を示す図である。
【図８】第１の実施形態に係わる、携帯型通信端末２０の動作を示すフローチャートである。
【図９】第２の実施形態に係わる、車載端末１０の動作を示すフローチャートである。
【図１０】第２の実施形態に係わる、携帯型通信端末２０の動作を示すフローチャートである。
【符号の説明】
【００５３】
１０  車載端末
１１  カーナビ
１２  車載通信モジュール
２０  携帯型通信端末
２１  マイコン
２２  操作スイッチ
２３  画面
２４  スピーカ
【図１】
2007251669.tif 000003
【図２】
2007251669.tif 000004
【図３】
2007251669.tif 000005
【図４】
2007251669.tif 000006
【図５】
2007251669.tif 000007
【図６】
2007251669.tif 000008
【図７】
2007251669.tif 000009
【図８】
2007251669.tif 000010
【図９】
2007251669.tif 000011
【図１０】
2007251669.tif 000012